【事件の表示】
　平成８年　特　許　願　第１８９０５６号「自動分析装置」において、平成９年７月４日付けでした手続補正に対してされた補正の却下の決定に対する審判事件について、次のとおり審決する。
【結論】
　原決定を取り消す。
【理由】
１．手続の経緯
　本願は、昭和６３年９月１６日に出願された特願昭６３−２３１８２４号出願の分割出願として、平成８年７月１８日に出願されたものである。
　平成９年４月２３日付で通知された拒絶理由（２９条２項）に対して、平成９年７月４日付で意見書および手続補正書が提出された。
　この平成９年７月４日付でした手続補正（以下、「本件手続補正」という）を、審査官は、平成１１年４月１３日付決定（以下、「原決定」という）をもって却下した。
　なお、原出願の発明は、特許第２，５９５，０６３号として登録されている。原出願から本件出願と同時に分割された出願は３件あるが、そのうちの１件は、特許第２，９３０，０１９号として登録されている。
２．本件手続補正
　本件手続補正は、特許請求の範囲を次のように補正するものである。なお、アンダーラインおよび（イ）〜（チ）の記号は、審査官が指摘した補正箇１所を示すために便宜上加えたものである。
　補正【請求項１】
　（Ａ）試料分析作業時に、反応槽上に配置した反応容器内に試料と試薬を分注し、該反応容器の内容物を測定し、内容物測定後の反応容器を洗浄する自動分析装置において、
　（Ｂ）試料分析作業開始前の準備動作処理か試料分析作業後で電源オフ前の準備動作処理かを
指示し得る指示手段（イ）
　（Ｃ）反応容器の洗浄及び分注プローブの洗浄の各処理単位を含む準備動作用の処理一覧を処理単位毎の選択が可能であるように表示される画面に、上記
指示手段により指示された（ロ）
指示されている（ハ）
指示されている（ニ）
　補正【請求項２】
　（Ａ）試料の分析作業のときに、反応槽に配置した反応容器内に試薬と試料を分注し、上記反応容器の内容物を測定し、内容物測定後の反応容器を洗浄する自動分析装置において、
　（Ｂ）試料分析作業開始前の準備動作処理か試料分析作業後で電源オフ前の準備動作処理かを
指示し得る指示手段（ホ）
　（Ｃ）反応容器の水による洗浄及び反応容器の洗剤による洗浄の各処理単位を含む準備動作用の処理一覧を処理単位毎の選択が可能であるように表示される画面に、上記
指示手段により指示された（へ）
指示されている（ト）
指示されている（チ）
３．原決定の理由
　原決定の理由は、次のとおりである。
「　補正後の特許請求の範囲の請求項１、第４行『指示し得る指示手段』・第６行『指示手段により指示された』・第９行及び第１１行『指示されている』、及び、請求項２、第４行『指示し得る指示手段』・第６−７行『指示手段により指示された』・第９行及び第１１−１２行『指示されている』は、願書に最初に添付した明細書又は図面に記載されておらず、かつ、同明細書又は図面の記載からみて自明のこととも認められないので、この補正は、明細書の要旨を変更するものと認める。したがって、この補正は、特許法第５３条第１項の規定により却下すべきものである。」
４．分割出願時の特許請求の範囲
　本件分割出願時の特許請求の範囲は、次のとおりである。
分割出願時【請求項１】
　（Ａ）試料分析作業時に、反応槽上に配置した反応容器内に試料と試薬を分注し、該反応容器の内容物を測定し、内容物測定後の反応容器を洗浄する自動分析装置において、（Ｂ）反応容器の洗浄及び分注プローブの洗浄の各処理単位を含む処理一覧を記憶する処理一覧記憶手段と、（Ｃ）上記処理一覧と共に、試料分析作業開始前の処理か試料分析作業後で電源オフ前の処理かを区別して示す処理名称欄を画面に表示する画面表示手段と、（Ｄ）上記試料分析作業開始前の処理又は上記電源オフ前の処理に対応させて上記画面を介して選択された処理単位からなる準備動作を記憶する準備動作記憶手段と、（Ｅ）分析装置の予約された電源立ち上げ時刻を記憶する時刻記憶手段と、（Ｆ）上記電源立ち上げ時刻になると、上記画面を介して選択された試料分析作業開始前の準備動作を上記分析装置に実行させ、かつ、上記電源オフ前の処理が指示されているときに上記画面を介して選択された上記電源オフ前の準備動作を上記試料分析作業後に上記分析装置に実行させる制御手段と、を備えたことを特徴とする自動分析装置。
分割出願時【請求項２】
　（Ａ）試料の分析作業のときに、反応槽に配置した反応容器内に試薬と試料を分注し、上記反応容器の内容物を測定し、内容物測定後の反応容器を洗浄する自動分析装置において、（Ｂ）反応容器の水による洗浄及び反応容器の洗剤による洗浄の各処理単位を含む処理一覧を記憶する処理一覧記憶手段と、（Ｃ）上記処理一覧を画面に表示すると共に、試料分析作業開始前で電源立ち上げ時の処理か試料分析作業後で電源オフ前の処理かを区別して示す処理名称欄を上記画面に表示する画面表示手段と、（Ｄ）上記画面を介して選択された処理単位からなる準備動作を上記電源立ち上げ時の処理又は上記電源オフ前の処理に対応して記憶する準備動作記憶手段と、（Ｅ）分析装置の予約された電源立ち上げ時刻を記憶する時刻記憶手段と、（Ｆ）上記電源立ち上げ時刻になると、上記画面を介して選択された試料分析作業開始前の準備動作を上記分析装置に実行させ、かつ、上記電源オフ前の処理が指示されているときに上記画面を介して選択された上記電源オフ前の準備動作を上記試料分析作業後に上記分析装置に実行させる制御手段と、を備えたことを特徴とする自動分析装置。
５．補正前後の請求項１の記載事項の対比
５．１　対応記号
　分割出願時の請求項１の記載事項と、補正された請求項１の記載事項とを対比の便宜のために、両者に対応する記載事項に記号を以下のように付す。
［ＢＡ］分割出願時の請求項１の発明の自動分析装置
　試料分析作業時に、反応槽上に配置した反応容器内に試料と試薬を分注し、該反応容器の内容物を測定し、内容物測定後の反応容器を洗浄する
（ＢＢ）処理一覧記憶手段
　反応容器の洗浄及び分注プローブの洗浄の各処理単位を含む処理一覧を記憶する
（ＢＣ）画面表示手段
　上記処理一覧と共に、試料分析作業開始前の処理か試料分析作業後で電源オフ前の処理かを区別して示す処理名称欄を画面に表示する
（ＢＤ）準備動作記憶手段
　上記試料分析作業開始前の処理又は上記電源オフ前の処理に対応させて上記画面を介して選択された処理単位からなる準備動作を記憶する
（ＢＥ）時刻記憶手段
　分析装置の予約された電源立ち上げ時刻を記憶する
（ＢＦ）制御手段
　ｂ▲１▼　上記電源立ち上げ時刻になると、上記画面を介して選択された試料分析作業開始前の準備動作を上記分析装置に実行させ、かつ、
　ｂ▲２▼　上記電源オフ前の処理が指示されているときに上記画面を介して選択された上記電源オフ前の準備動作を上記試料分析作業後に上記分析装置に実行させる
［ＨＡ］　補正された請求項１の発明の自動分析装置
　試料分析作業時に、反応槽上に配置した反応容器内に試料と試薬を分注し、該反応容器の内容物を測定し、内容物測定後の反応容器を洗浄する
（ＨＧ）指示手段
　試料分析作業開始前の準備動作処理か試料分析作業後で電源オフ前の準備動作処理かを
指示し得る指示手段（イ）
（ＨＦ）制御手段
　ｈ▲３▼　準備動作の処理名を表示
　反応容器の洗浄及び分注プローブの洗浄の各処理単位を含む準備動作用の処理一覧を処理単位毎の選択が可能であるように表示される画面に、上記
指示手段により指示された（ロ）
　ｈ▲４▼　画面に表示
　上記分析作業開始前及び上記電源オフ前のいずれの準備動作処理に対しても上記処理一覧を共通に上記画面に表示せしめ、
　ｈ▲１▼　上記分析作業開始前の準備動作が
指示されている（ハ）
　ｈ▲２▼　上記電源オフ前の準備動作が
指示されている（ニ）
５．２　一致点
　ここで、補正前の請求項１の自動分析装置［ＢＡ］と補正後の請求項１の自動分析装置［ＨＡ］とを対比すると次の点で一致する。
（一致する点）
　自動分析装置［ＢＡ］と自動分析装置［ＨＡ］とは、試料分析作業時に、反応槽上に配置した反応容器内に試料と試薬を分注し、該反応容器の内容物を測定し、内容物測定後の反応容器を洗浄する自動分析装置である点で一致している。
　そして、自動分析装置［ＢＡ］と自動分析装置［ＨＡ］とは、準備操作（ｂ▲１▼〜ｂ▲２▼およびｈ▲１▼〜ｈ▲２▼）を実行させる制御手段（ＢＦ）、（ＨＦ）を有する点で一致する。
　そして、自動分析装置［ＢＡ］、自動分析装置［ＨＡ］の制御手段（ＢＦ）と制御手段（ＨＦ）とは、「上記電源オフ前の処理が指示されているときに上記画面を介して選択された上記電源オフ前の準備動作を上記試料分析作業後に上記分析装置に実行させる」点（ｂ▲２▼およびｈ▲２▼）で一致する。
５．３　主な補正事項
　補正前の請求項１の自動分析装置［ＢＡ］と補正後の請求項１の自動分析装置［ＨＡ］とは次の（１）〜（４）の４点で相違する。これらの４点が本件補正の主な補正事項である。
（１）　指示手段（ＨＧ）の加入
　自動分析装置［ＢＡ］は、指示手段（ＨＧ）が必須の構成要素として記載されていないのに対し、自動分析装置［ＨＡ］は、指示手段（ＨＧ）が必須の構成要素となっている点。
（２）　手段（ＢＢ）〜（ＢＥ）の脱落
　自動分析装置［ＢＡ］は、手段（ＢＢ）〜（ＢＥ）が必須の構成要素となっているのに対し、自動分析装置［ＨＡ］は、手段（ＢＢ）〜（ＢＥ）が必須の構成要素として記載されていない点。
（３）　制御手段について
　自動分析装置［ＢＡ］の制御手段（ＢＦ）は、準備動作の処理名を表示ｈ▲３▼および画面に表示ｈ▲４▼が必須の構成要素として記載されていないのに対し、自動分析装置［ＨＡ］の制御手段（ＨＦ）は、準備動作の処理名を表示ｈ▲３▼および画面に表示ｈ▲４▼が必須の構成要素となっている点。
（４）　制御手段について
　自動分析装置［ＢＡ］の制御手段（ＢＦ）は、上記電源立ち上げ時刻になると、上記画面を介して選択された試料分析作業開始前の準備動作を上記分析装置に実行させる（ｂ▲１▼）のに対して、自動分析装置［ＨＡ］の制御手段（ＨＦ）は、上記分析作業開始前の準備動作が指示されている場合だけ、上記分析作業開始前のために上記画面を介して選択された処理単位の洗浄動作を、予約された時刻に上記自動分析装置に実行させるものである点（ｈ▲１▼）。
６．補正事項（１）〜（４）の検討
６．１　補正事項（１）「指示手段の加入」について
（ｉ）　電源オフ前の処理
　分割出願時の自動分析装置［ＢＡ］は、電源オフ前の処理が指示されているときがある（制御手段手段（ＢＦ）のｂ▲２▼参照）。そうすると、自動分析装置［ＢＡ］は、装置に付属してあるか装置外にあるか、何らかの指示手段が存在することが前提になっている。
　分割出願時の明細書の発明の詳細な説明の項を見ると、第５図の「タイマ動作時刻登録」画面に登録処理番号４を入力することにより、電源オフ前の処理を指示することが示されている（段落番号【００２８】〜【００２９】参照）。
　したがって、分割出願時の明細書の発明の詳細な説明の項には、電源オフ前の処理を指示する指示手段が記載されていたということができる。
（ｉｉ）　「試料分析作業開始前の処理」について
　図５の「タイマ動作時刻登録」画面の「電源オン時刻」の登録処理番号欄に「３」を入力することにより、図２の一括準備動作画面の３の「準備動作」を選択することが記載されている。（段落番号【００２４】〜【００２７】参照）。
　したがって、分割出願時の明細書の発明の詳細な説明の項には、電源立ち上げ時の処理を指示する指示手段が記載されていたということができる。
（ｉｉｉ）　指示手段（ＨＧ）
　したがって、補正された請求項１の自動分析装置［ＨＡ］の指示手段（ＨＧ）は、分割出願時の明細書の発明の詳細な説明の項に記載されている事項である。
６．２　補正事項（２）「手段（ＢＢ）〜（ＢＥ）の脱落」の補正について
（ｉ）　「画面表示手段（ＢＣ）」の脱落の補正について
　補正後の制御手段（ＨＦ）は、画面表示をさせるものであり（前記ｈ▲３▼およびｈ▲４▼参照）、補正後の自動分析装置［ＨＡ］は、「画面表示手段（ＢＣ）」を有しているということができる。
（ｉｉ）　「処理一覧記憶手段（ＢＢ）」を脱落する補正
　補正後の制御手段（ＨＦ）は、処理一覧を画面表示させるものであるから（前記ｈ▲３▼参照）、補正後の自動分析装置［ＨＡ］は、「処理一覧記憶手段（ＢＢ）」を有しているということができる。
（ｉｉｉ）　「準備動作記憶手段（ＢＤ）」を脱落する補正
　補正後の制御手段（ＨＦ）は、準備動作を画面表示させるものであるから（前記ｈ▲４▼参照）、補正後の自動分析装置［ＨＡ］は、「準備動作記憶手段（ＢＤ）」を有しているということができる。
（ｉｖ）　「時刻記憶手段（ＢＥ）」を脱落する補正
　補正後の制御手段（ＨＦ）は、予約された時刻に分析作業開始前の準備動作を実行させるものであるから（前記ｈ▲１▼参照）、補正後の自動分析装置［ＨＡ］は、「時刻記憶手段（ＢＥ）」を有しているということができる。
（ｖ）　「手段（ＢＢ）〜（ＢＥ）の脱落」の補正
　したがって、この補正事項は、形式的に見ると、必須の構成要素「手段（ＢＢ）〜（ＢＥ）」が脱落している補正がされているかのように見えるが、補正後の制御手段（ＨＦ）の制御の対象としてこれらの手段を使用するものであるから、補正後の自動分析装置も、実質的には、構成要素「手段（ＢＢ）〜（ＢＥ）」を持たないものにまで拡張されているものではない。
６．３　補正事項（３）「準備動作の処理名を表示ｈ▲３▼および画面に表示ｈ▲４▼」について
　この補正事項は、準備動作の処理名を表示ｈ▲３▼および画面に表示ｈ▲４▼が制御手段により行われることを明記するものである。補正前の自動分析装置［ＢＡ］では、これらの表示が制御手段に行われることは明記されていないが、補正前の自動分析装置［ＢＡ］でもこれらの表示が制御手段により行われることは明らかである。
６．４　補正事項（４）「立ち上げ動作が指示されている場合」について
　図５の「タイマ動作時刻登録」画面の「電源オン時刻」の登録処理番号欄に「３」を入力することにより、分析作業開始前の準備動作を指示することが記載されている。そして、図５の「タイマ動作時刻登録画面」の「電源オン時刻」の「登録処理番号」欄が「０」の場合は、タイマ動作を行わないことが記載されている（段落番号【００２４】〜【００２７】参照）。この「登録処理番号」欄が「０」の場合は、準備動作を指示していない場合に該当する。
　そうすると、分析作業開始前の準備動作を指示されている場合に洗浄操作を実行することは、分割出願時の明細書に記載されている事項であるといえる。
６．５　請求項１の補正事項の検討結果
　以上検討したように、前記補正事項（１）〜（４）は、いずれも分割出願時の明細書記載事項の範囲内のものということができる。そして、審査官の指摘した補正箇所（イ）〜（ニ）の事項についても分割出願時の明細書記載事項の範囲内のものということができる。
７．　請求項２の補正事項
　請求項２についての補正事項は、請求項１についての補正事項と同様で、分割出願時の明細書記載事項の範囲内のものということができる。そして、審査官の指摘した補正箇所（ホ）〜（チ）の事項についても分割出願時の明細書記載事項の範囲内のものということができる。
８．むすび
　したがって、本件手続補正は、明細書の要旨を変更するものということはできない。
　よって、結論のとおり審決する。